(57)【要約】【課題】液体クロマトグラフ装置において、カラム洗浄および封入液充填の条件設定および実施を自動化し、カラム洗浄漏れおよび封入液充填漏れを防止する。【解決手段】中央処理装置７０が、ポンプ、オートサンプラ、カラムオーブン、又は検出器を含むクロマトユニットに関する情報をカラムタグ１１０から読み出し、クロマトユニットからの情報を受信しながら、分析者により設定された分析条件に従って、クロマトユニットを制御する。  また、中央処理装置７０が、分析後のカラム洗浄又は封入液充填を自動で実施すると、カラムタグ１１０の対応するフラグをＯＮに設定する。そして、分析者がカラムオーブン４０からカラムを取り外す際、カラム洗浄又は封入液充填の少なくとも一方が未実施の場合、出力装置８０に警告を表示する。【選択図】図１
2011220789.tif 000002
【特許請求の範囲】
【請求項１】
中央処理装置が液体クロマトグラフ分析を制御する液体クロマトグラフ装置であって、
前記液体クロマトグラフ分析に用いるポンプ、オートサンプラ、カラムオーブン、又は検出器を含むクロマトユニットに関する仕様及び推奨分析条件を含む情報が予め記録されたカラムタグと、
前記クロマトユニットに関する仕様及び推奨分析条件を含む情報を前記カラムタグから読み出す初期設定部と、
分析者から前記クロマトユニットの分析条件に関する指示を受信し、前記仕様及び推奨分析条件を含む情報並びに前記分析者からの指示に基づき前記クロマトユニットを制御し、前記クロマトユニットの駆動状態を記録する分析処理部と、
前記分析処理部が受信した分析者からの指示に基づき、前記カラムの洗浄処理または封入液充填処理を実施するカラム洗浄・封入液充填部と、
前記カラムの洗浄処理または封入液充填処理のうち少なくとも一方が未実施の場合、分析者が前記カラムオーブンからカラムを取り外す際に、出力装置に警告メッセージを表示する警告部と、
を備え、
前記中央処理装置は、前記ポンプから送出された溶離液に前記オートサンプラから注入された試料を混合した混合液を、前記カラムオーブンで高温維持しながら成分分離し、該成分を前記検出器で検出することで、液体クロマトグラフ分析を制御することを特徴とする液体クロマトグラフ装置。
【請求項２】
前記分析処理部は、前記仕様及び推奨分析条件を含む情報を読み出した後、前記カラムタグに記載されたカラムの洗浄処理及び封入液充填処理に関するフラグをＯＦＦに設定し、
前記カラム洗浄・封入液充填部は、前記カラムの洗浄処理または封入液充填処理の少なくとも一方を実施した後、前記フラグのうち実施したものをＯＮに設定することを特徴とする請求項１記載の液体クロマトグラフ装置。
【請求項３】
前記カラム洗浄・封入液充填部は、前記カラムの洗浄処理または封入液充填処理を実施した後、前記カラムタグに、洗浄液名称、洗浄液濃度、洗浄時間、洗浄液送液量、洗浄日時、封入液名称、封入液濃度、封入時間、封入液送液量、または封入日時のうち少なくとも１つを書込むことを特徴とする請求項２記載の液体クロマトグラフ装置。
【請求項４】
前記分析処理部は、前記カラムタグに記録されている前記仕様及び推奨分析条件を含む情報、分析者からの指示、前記クロマトユニットの駆動状態を前記出力装置に画面表示し、前記画面に分析者が入力した情報に基づき前記クロマトユニットを制御することを特徴とする請求項１記載の液体クロマトグラフ装置。
【請求項５】
前記分析処理部は、前記仕様及び推奨分析条件を含む情報と、分析中に記録された前記クロマトユニットの駆動状態とを比較し、
前記警告部は、前記仕様及び推奨分析条件の範囲外で駆動した前記クロマトユニットに関する警告を前記出力装置に出力することを特徴とする請求項１記載の液体クロマトグラフ装置。
【発明の詳細な説明】
【技術分野】
【０００１】
本発明は、液体クロマトグラフ装置に関し、例えば管理用電子タグによって制御可能な液体クロマトグラフ装置に関するものである。
【背景技術】
【０００２】
液体クロマトグラフ分析では、カラムと呼ばれる円筒状の容器を液体クロマトグラフ装置に取り付け、当該カラムに試料となる混合物を送流し、カラム内で当該混合物の分離を行う。混合物の分離が終了すると、カラムを洗浄し、カラムに封入液を充填した後、カラムを取り外し、保管する。
【０００３】
このとき、分析者は、多種多様なカラムが存在するなかで、カラムごとにカラム洗浄条件、および封入液充填条件を適切に設定する必要がある。このため、分析者によっては設定に時間がかかったり、又は条件が適切でなかったりすることがある。この場合は、分析時間の増加、又はカラムの寿命が短くなる原因となる。
【０００４】
また、分析者が、カラムを洗浄し忘れたり、又は封入液を充填し忘れたりしたままカラムを保管すれば、カラム流路に不純物が残ってしまい、次の使用時に分離を適切に行うことができない。この場合は、カラムを新しいものに交換する必要がある。つまり、カラム洗浄漏れ又は封入液充填漏れは、分析精度が低下し、およびカラムの寿命が短くなる原因となる。
【０００５】
このように、液体クロマトグラフ分析において、カラム洗浄および封入液充填を分析者の手動に任せるのは非常に煩雑であり、また分析者の技量によるばらつきが生じるおそれがある。そこで、カラム洗浄および封入液充填の条件設定および実施を自動化し、カラム洗浄漏れおよび封入液充填漏れを防止する方法が望まれる。
【０００６】
特許文献１では、カラムの一括管理を目的として、カラムに分析条件等の情報を有するデータ記憶媒体を取り付けた液体クロマトグラフ装置を開示している。
【０００７】
また、特許文献２では、カラムの流路構成や、使用液の特性に応じた適切な条件での自動パージ（洗浄）動作を簡単に行う目的で、パージ動作に係るマクロプログラムが格納された液体クロマトグラフ装置を開示している。
【先行技術文献】
【特許文献】
【０００８】
【特許文献１】特開２００８−２０９３２７号公報
【特許文献２】特開２００６−２５８７３２号公報
【発明の概要】
【発明が解決しようとする課題】
【０００９】
しかしながら、上記特許文献１は、カラムごとにデータ記憶媒体を取り付けることで分析条件の設定・変更履歴情報およびカラム情報の管理はできるが、当該情報を利用してカラム洗浄および封入液充填を自動化することはできない。また、上記特許文献２は、分析者が必要に応じてパージ動作を自動で実施させることはできるが、そもそも分析者がカラム洗浄および封入液充填を忘れた場合は想定していない。
【００１０】
本発明は、このような状況に鑑みてなされたものであり、カラム洗浄および封入液充填の条件設定および実施を自動化し、カラム洗浄漏れおよび封入液充填漏れを防止するものである。
【課題を解決するための手段】
【００１１】
上記課題を解決するために、本発明は、液体クロマトグラフ分析を行うための各装置（クロマトユニット）の仕様および推奨分析条件を予め記録した管理用電子タグを備える。通常、管理用電子タグはカラムごとに取り付けられている。以下、カラムに取り付けられた管理用電子タグをカラムタグと呼ぶ。
【００１２】
分析処理前は、分析に用いるクロマトユニットを認識した後、該クロマトユニットの仕様および推奨分析条件をカラムタグから読み込む。
【００１３】
分析処理中は、分析者からの分析条件に従って、クロマトユニットを監視し、制御する。この分析条件には、分析者からのカラム洗浄および封入液充填を自動化する指示を含む。
【００１４】
また、分析処理後には、分析条件で指定されたカラム洗浄条件又は封入液充填条件に従って、カラム洗浄又は封入液充填を自動で実施する。カラム洗浄又は封入液充填が完了するとそれぞれのフラグをＯＮに設定し、当該フラグがＯＦＦのままカラムを取り外したときには、出力装置に警告メッセージを出力し、分析者にカラム洗浄又は封入液充填が未実施であることを知らせる。
【００１５】
すなわち、本発明による液体クロマトグラフィー装置は、中央処理装置が液体クロマトグラフ分析を制御する液体クロマトグラフ装置であって、前記液体クロマトグラフ分析に用いるポンプ、オートサンプラ、カラムオーブン、又は検出器を含むクロマトユニットに関する仕様及び推奨分析条件を含む情報が予め記録されたカラムタグと、前記クロマトユニットに関する仕様及び推奨分析条件を含む情報を前記カラムタグから読み出す初期設定部と、分析者から前記クロマトユニットの分析条件に関する指示を受信し、前記仕様及び推奨分析条件を含む情報並びに前記分析者からの指示に基づき前記クロマトユニットを制御し、前記クロマトユニットの駆動状態を記録する分析処理部と、前記分析処理部が受信した分析者からの指示に基づき、前記カラムの洗浄処理または封入液充填処理を実施するカラム洗浄・封入液充填部と、前記カラムの洗浄処理または封入液充填処理のうち少なくとも一方が未実施の場合、分析者が前記カラムオーブンからカラムを取り外す際に、出力装置に警告メッセージを表示する警告部と、を備え、前記中央処理装置は、前記ポンプから送出された溶離液に前記オートサンプラから注入された試料を混合した混合液を、前記カラムオーブンで高温維持しながら成分分離し、該成分を前記検出器で検出することで、液体クロマトグラフ分析を制御する。
【発明の効果】
【００１６】
本発明によれば、液体クロマトグラフ装置において、カラム特有の推奨条件で、カラム洗浄、及び封入液充填を自動化でき、カラムの管理が容易となる。また、分析者によるカラム洗浄漏れ、及び封入液充填漏れを防止でき、カラム寿命を長くすることができる。
【図面の簡単な説明】
【００１７】
【図１】本発明の実施形態に係る液体クロマトグラフ装置の概略構成を示す図である。
【図２】本発明の実施形態に係るカラムオーブンとカラムタグの概略構成図を示す図である。
【図３】本発明の実施形態に係るカラムタグに記録された項目の例を示す図である。
【図４】本発明の実施形態に係る液体クロマトグラフ分析の概要を表すフローチャートを示す図である。
【図５】本発明の実施形態に係る分析処理のフローチャートを示す図である。
【図６】本発明の実施形態に係るカラムの洗浄・封入液充填処理のフローチャートを示す図である。
【図７】本発明の実施形態に係るカラムオーブンの分析条件画面を示す図である。
【図８】本発明の実施形態に係るカラムオーブンステータス表示画面を示す図である。
【図９】本発明の実施形態に係るカラム洗浄・封入条件設定画面を示す図である。
【図１０】本発明の実施形態に係る中央処理装置の初期設定のフローチャートを示す図である。
【図１１】本発明の実施形態に係るカラムの取り外しのフローチャートを示す図である。
【図１２】本発明の実施形態に係る中央処理装置の内部構成を示す図である。
【発明を実施するための形態】
【００１８】
本発明は、ポンプから送出された溶離液にオートサンプラから注入された試料を混合した混合液を、カラムオーブンで高温維持しながら成分分離し、該成分を検出器で検出することで液体クロマトグラフ分析を行う液体クロマトグラフ装置に関するものである。
【００１９】
以下、添付図面を参照して本発明の実施形態例について説明する。ただし、本実施形態は本発明を実現するための一例に過ぎず、本発明の技術的範囲を限定するものではないことに注意すべきである。また、各図において共通の構成については同一の参照番号が付されている。
【００２０】
＜液体クロマトグラフ装置の構成＞
図１は、本発明の実施形態に係る液体クロマトグラフ装置の概略構成を示す図である。
液体クロマトグラフ装置は、複数種類の溶離液１０、洗浄液１１、および封入液１２を送出するポンプ２０、試料を注入するオートサンプラ３０、オートサンプラ３０からの混合液を成分分離するカラムオーブン４０、分離した各成分を検出し特定する検出器５０、これら機構を制御する中央処理装置７０、検出結果を出力するディスプレイやプリンタ等の出力装置８０、分析者がシステム構成設定や分析条件（後述する図４のステップ４０１、４０２）を入力するのに用いるキーボードやマウス等の入力装置９０、検出後の廃液を回収する廃液容器６０、カラムオーブン４０に接続されたカラムタグ１１０、を備える。なお、入力装置９０は、出力装置８０の表示面上に設けられたタッチパネルなどでも良い。
【００２１】
図２は、本発明の実施形態に係るカラムオーブン４０とカラムタグ１１０の概略構成図である。カラムオーブン４０には、カラム１００にワイヤー１２０で紐付けされたカラムタグ１１０が接続されている。カラムタグ内の情報は、カラムオーブン４０を仲介して中央処理装置７０が読み書きする。  
【００２２】
図３は、本発明の実施形態に係るカラムタグ１１０に記録された項目の例を示す図である。カラムタグ内の、Ｎｏ．１〜１６にはクロマトユニットの仕様または推奨分析条件が事前に書き込まれる。ここで、事前とは、例えばカラム及びカラムタグを出荷する時である。この情報は、カラムの性能を適切に維持するために、守るべき環境条件および分析条件等を記録したものである。よって、通常この情報は書き換えられることは無い。それ以外のＮｏ．１７〜３５にはカラムを実際に使用するたびに、分析時の分析条件等が書き込まれる。
【００２３】
図１２は、本発明の実施形態に係る中央処理装置７０の内部構成を示す図である。中央処理装置７０は、分析を開始する前に液体クロマトグラフ装置の初期設定を行う初期設定部１２０１、混合液の作成から成分検出までの分析処理を制御する分析処理部１２０２、分析処理後のカラム洗浄と封入液充填を実施するカラム洗浄・封入液充填部１２０３、所定の場合に警告を出力装置８０に表示する警告部１２０４、を備える。
【００２４】
＜液体クロマトグラフ分析＞
図４は、本発明の実施形態に係る液体クロマトグラフ分析の概要を表すフローチャートを示す図である。
【００２５】
ステップ４００では、分析者は、分析を開始するにあたって必要なカラムをカラムオーブンに取り付ける。このとき、通常はカラム１００にカラムタグ１１０が取り付けられている。取り付け完了を感知すると、中央処理装置７０は、処理をステップ４０１に移行させる。
【００２６】
ステップ４０１では、分析処理を開始する前に、中央処理装置７０の設定を行う。例えば、分析者が中央処理装置７０に制御対象となる各装置（クロマトユニット）を認識させたり、中央処理装置７０の初期設定部１２０１がカラムタグ１１０からクロマトユニットに関する情報を読み込んだりする。詳しくは後述する（図１０）。
【００２７】
ステップ４０２では、分析処理を行う。まず、分析者が、クロマトユニットの分析条件を中央処理装置７０に設定する。分析条件は、分析者が出力装置８０に表示される分析条件画面を見ながら、入力装置９０から入力する。ここで分析条件とは、クロマトユニットを構成する各装置の装置条件、及びステップ４０３でカラムの洗浄・封入液充填処理を自動化するための指示等を含む。中央処理装置７０の分析処理部１２０２は、各装置からの情報を受信しながら、分析条件に従ってクロマトユニットを構成する各装置を制御する。また、分析処理部１２０２は、得られた分析データを処理し、分離した各成分を特定する。詳しくは後述する（図５）。
【００２８】
ステップ４０３では、カラムの洗浄・封入液充填処理を行う。ここでは、ステップ４０２で分析者がカラムの洗浄・封入液充填処理を自動化する指示をした場合、中央処理装置７０のカラム洗浄・封入液充填部１２０３は、分析後のカラム洗浄又は封入液充填の少なくとも一方を実施する。そして、実施した処理については、カラムタグ１１０の対応するフラグ（図３のＮｏ．２９、３５）をＯＮに設定する。詳しくは後述する（図６）。
【００２９】
ステップ４０４では、分析者がカラムオーブン４０からカラム１００を取り外す際、カラム洗浄又は封入液充填の少なくとも一方が未実施の場合、中央処理装置７０の警告部１２０４は、出力装置８０に警告を表示する。詳しくは後述する（図１１）。
【００３０】
＜中央処理装置の初期設定＞
ここでは、前述したステップ４０１での中央処理装置の初期設定について、図１０を用いて詳細に説明する。図１０は、本発明の実施形態に係る中央処理装置の初期設定のフローチャートを示す図である。ここでの主体は、特に表記がなければ初期設定部１２０１である。
【００３１】
ステップ１００１では、分析者は、液体クロマトグラフ装置を構成するクロマトユニットを指定し、中央処理装置７０に当該情報を入力する。クロマトユニットとは、例えば、図１で言えば、ポンプ２０、オートサンプラ３０、カラムオーブン４０、および検出器５０である。情報を受けた中央処理装置７０は、処理をステップ１００２に移行させる。このように、クロマトユニットを指定することで、中央処理装置７０に制御対象を認識させ、以降の処理を自動化する。
【００３２】
ステップ１００２では、システム構成設定時に、カラムオーブン４０にカラムタグ１１０が取り付けてあるか否かの情報をカラムオーブン４０より取得する。
【００３３】
ステップ１００３では、カラムタグがカラムオーブンに取り付けられている場合、カラムタグ１１０からクロマトユニットの仕様（図３のＮｏ．１〜５）および推奨分析条件（Ｎｏ．６〜１６）の情報を取得し、設定する。同時に、カラムオーブン４０を介して、カラムタグ１１０の洗浄処理完了フラグ及び封入処理完了フラグ（図３のＮｏ．２９、３５）をＯＦＦに設定する。このように、クロマトユニットの仕様または推奨分析条件を中央処理装置７０が認識することで、後の分析処理中の状況を監視し、仕様または推奨分析条件外になる状況を制御することができる。また、後処理で、カラムの洗浄及び封入液充填フラグの状態によって、分析者に洗浄及び封入液充填を促す警告を発するか否かを決定することができる。
【００３４】
ステップ１００４では、カラムタグがカラムオーブンに取り付けられていない場合、警告部１２０４は、出力装置８０に警告を表示する。分析者がカラムタグを取り付ければ、ステップ１００２へ戻る。または、分析者はカラムタグを用いずに分析処理を手動で行うことも可能である。
【００３５】
＜分析処理＞
ここでは、前述したステップ４０２での分析処理について、図５を用いて詳細に説明する。図５は、本発明の実施形態に係る分析処理のフローチャートを示す図である。ここでの主体は、特に表記がなければ分析処理部１２０２である。
【００３６】
ステップ５００では、分析者が入力装置９０に入力した分析処理開始合図を受信し、分析処理を開始する。
【００３７】
ステップ５０１では、図１０のステップ１００３でカラムタグ１１０から読み込んだ、注入回数交換目安（Ｎｏ．６）と、注入回数（Ｎｏ．１９）とを比較する。ここでの注入回数とは、前回の分析処理終了後時点において、試料を注入した累積回数である。
【００３８】
ステップ５０２では、比較した結果、注入回数が注入回数交換目安以上である場合、警告部１２０４は、カラム交換時期を分析者へ知らせる警告メッセージを出力装置８０に出力する。
【００３９】
ステップ５０３では、分析者が入力装置９０に入力した分析条件、即ちクロマトユニットを構成する各装置の装置条件を取得し、設定する。装置条件とは、例えば、ポンプ２０における溶離液混合比率、流量、及び圧力上下限値、オートサンプラ３０における試料注入量、注入回数、及び圧力上下限値、カラムオーブン４０における温度設定値、温度上下限値、並びに検出器５０における測定波長及び測定時間等である。このように、各装置の装置条件を中央処理装置７０が認識することで、各装置を制御することができる。
【００４０】
ステップ５０４〜５０８では、混合液の作成から成分検出までを行う。ポンプ２０が溶離液１０をオートサンプラ３０に送出し（ステップ５０４）、オートサンプラ３０が溶離液１０に試料を注入し、混合液を作成する。ここで、オートサンプラ３０の注入と同時に、カラムタグ１１０内の注入回数（Ｎｏ．１９）を更新する（ステップ５０５）。その後、カラムオーブン４０がこの混合液を恒温維持しながら成分分離し（ステップ５０６）、検出器５０が分離された各成分を検出する（ステップ５０７）。検出後の混合液は、廃液容器６０に廃棄される（ステップ５０８）。これらの処理の間、例えば、ポンプ２０からはポンプ圧力が、オートサンプラからは注入圧力が、カラムオーブン４０からはオーブン温度が、随時データ処理７０に送信され、出力装置８０に表示されるとともに、それぞれの最大値が記録される。また、検出されたクロマトデータは、随時中央処理装置７０に送信され、出力装置８０に表示される。このように、各装置からの情報及び駆動状態が出力装置８０に集中することで、分析者が随時分析状況を把握できる。
【００４１】
ステップ５０９では、得られたクロマトデータからクロマトピークの高さや面積を算出し、この結果を出力装置８０に出力する。また、分析者は、出力装置８０に表示された各装置の駆動状態を見ながら、各装置の調整を行うことができる。例えば、ポンプ２０のポンプ圧力を調整したり、オートサンプラ３０の試料注入量を調整したり、カラムオーブン４０の温度を調整したりできる。
【００４２】
ステップ５１０では、図１０のステップ１００３でカラムタグ１１０から読み出した最大圧力（Ｎｏ．２０）と、ステップ５０４〜５０８の間に中央処理装置７０に記憶された分析中の最大圧力とを比較する。
【００４３】
ステップ５１１では、比較した結果、分析中の最大圧力が読み出した最大圧力より大きい場合、カラムタグ１１０の最大圧力（Ｎｏ．２０）および最大圧力更新日時（Ｎｏ．２１）を更新する。
【００４４】
ステップ５１２では、図１０のステップ１００３でカラムタグ１１０から読み出した最大圧力交換目安（Ｎｏ．７）と、ステップ５０４〜５０８の間に中央処理装置７０に記憶された分析中の最大圧力とを比較する。
【００４５】
ステップ５１３では、比較した結果、分析中の最大圧力が最大圧力交換目安以上である場合、カラム交換時期を分析者へ知らせる警告メッセージを出力装置８０に出力する。
【００４６】
ステップ５１４では、図１０のステップ１００３でカラムタグ１１０から読み出した最高カラム温度（Ｎｏ．２２）と、ステップ５０４〜５０８の間に中央処理装置７０に記憶された分析中の最高カラム温度とを比較する。
【００４７】
ステップ５１５では、比較した結果、分析中の最高カラム温度が読み出した最高カラム温度より大きい場合、カラムタグ１１０の最高カラム温度（Ｎｏ．２２）および最高カラム温度更新日時（Ｎｏ．２３）を更新する。
【００４８】
ステップ５１６では、図１０のステップ１００３でカラムタグ１１０から読み出した最高カラム温度交換目安（Ｎｏ．８）と、ステップ５０４〜５０８の間に中央処理装置７０に記憶された分析中の最高カラム温度とを比較する。
【００４９】
ステップ５１７では、比較した結果、分析中の最高カラム温度が最高カラム温度交換目安以上である場合、警告部１２０４は、カラム交換時期を分析者へ知らせる警告メッセージを出力装置８０に出力する。
【００５０】
ステップ５１８で、次の試料が分析者により設定されている場合、ステップ５０１に戻る。
【００５１】
ステップ５１９では、分析者が入力装置９０に入力した分析処理終了合図を受信し、分析処理を終了する。そして、カラムを最後に使用した日時として、カラムタグ１１０の前回測定日時（Ｎｏ．１８）に分析終了日時を書き込む。
【００５２】
なお、注入回数に関する警告（ステップ５０２）、最大圧力および最高温度に関する警告（ステップ５１３、５１７）の順番、および警告の回数は問わない。
【００５３】
＜カラム洗浄・封入液充填処理＞
ここでは、前述したステップ４０３でのカラム洗浄・封入液充填処理について、図６を用いて詳細に説明する。図６は、本発明の実施形態に係るカラムの洗浄・封入液充填処理のフローチャートを示す図である。ここでの主体は、特に表記がなければカラム洗浄・封入液充填部１２０３である。
【００５４】
本処理では、分析者がカラム洗浄または封入液充填処理の少なくとも一方を指定した場合、指定された処理を実施する。
【００５５】
カラムの洗浄または封入液充填処理を実施するか否かは、ステップ４０２で設定したカラムオーブン４０の分析条件から判断する。
【００５６】
図７は、本発明の実施形態に係るカラムオーブンの分析条件画面を示す図である。図示するように、分析条件として、カラムオーブンの温度設定値と温度上限値以外に、分析終了後のカラム洗浄チェックボックス７００および分析終了後のカラム封入液充填チェックボックス７１０が表示される。このチェックボックスにより、分析終了後のカラム洗浄または封入液充填処理をするか否かを判断する。
【００５７】
ステップ６００〜６０５は、カラム洗浄処理のフローである。分析者が分析終了後のカラム洗浄をするか否かの判定をし（ステップ６００）、分析者がカラム洗浄を指定した場合、分析条件のうちカラム洗浄条件となる推奨洗浄液名称、推奨洗浄液濃度、推奨洗浄時間、推奨洗浄液送液量（図３のＮｏ．９〜１２）をカラムタグ１１０から読み込み、設定する（ステップ６０１）。次に、カラム洗浄条件をクロマトユニットを構成する各装置に送信し（ステップ６０２）、各装置がカラム洗浄処理を指定時間実行する（ステップ６０３）。カラム洗浄処理が終わると、カラム洗浄に使用した条件およびカラム洗浄日時をカラムタグ１１０（Ｎｏ．２４〜２８）に書き込む（ステップ６０４）。また、カラムタグ１１０の洗浄処理完了フラグ（Ｎｏ．２９）をＯＮに更新する（ステップ６０５）。一方、分析者が分析条件でカラムの洗浄を指定していない場合、カラムの洗浄を実施せずにステップ６０６に進む。この場合は、洗浄処理完了フラグはＯＦＦのままである。
【００５８】
このように、カラムタグ１１０の洗浄処理完了フラグをＯＮ・ＯＦＦすることで、カラム洗浄の実施状況を記録しておくことができる。
【００５９】
ステップ６０６〜６１１は、カラム封入液充填処理フローである。分析者が分析終了後の封入液充填をするか否かの判定をし（ステップ６０６）、分析者が封入液充填を指定した場合、分析条件のうちカラム封入液充填条件となる推奨封入液名称、推奨封入液濃度、推奨封入時間、推奨封入液送液量（図３のＮｏ．１３〜１６）をカラムタグ１１０から読み込み、設定する（ステップ６０７）。次に、カラム封入液充填条件をクロマトユニットを構成する各装置に送信し（ステップ６０８）、各装置がカラム封入液充填処理を指定時間実行する（ステップ６０９）。カラム封入液充填処理が終わると、封入液充填に使用した条件および封入液充填日時をカラムタグ１１０（Ｎｏ．３０〜３４）に記録する（ステップ６１０）。また、カラムタグ１１０の封入処理完了フラグ（Ｎｏ．３５）をＯＮに更新する（ステップ６１１）。一方、分析者が分析条件で封入液充填を指定していない場合、封入液充填を実施せずに本処理を終了する。この場合は、封入処理完了フラグはＯＦＦのままである。
【００６０】
このように、カラムタグ１１０の封入処理完了フラグをＯＮ・ＯＦＦすることで、封入液充填の実施状況を記録しておくことができる。
【００６１】
なお、本実施形態では、カラム洗浄処理後、封入液充填処理を行っているが、一方の処理のみ実施しても良く、また実施の順番は問わない。
【００６２】
＜カラムの取り外し＞
ここでは、前述したステップ４０４でのカラムの取り外しについて、図１１を用いて詳細に説明する。図１１は、本発明の実施形態に係るカラムの取り外しのフローチャートを示す図である。
【００６３】
分析者が中央処理装置７０に分析終了合図を送信すると（ステップ１１００）、警告部１２０４は、カラムタグ１１０の洗浄完了フラグおよび封入完了フラグ（図３のＮｏ．２９、３５）を読み出し、カラム洗浄又は封入液充填が実施されているか判定をする（ステップ１１０１）。カラム洗浄又は封入液充填の少なくとも一方が実施されていない場合、警告部１２０４は、出力装置８０に警告を表示する（ステップ１１０２）。ここで分析者が、出力装置８０に表示された画面を見ながら入力装置９０を介してカラム洗浄又は封入液充填を実施すれば、警告部１２０４は、カラムタグ１１０の洗浄完了フラグ又は封入完了フラグをＯＮに設定し、警告を解除する（ステップ１１０３、１１０４）。入力装置９０を介してカラム洗浄又は封入液充填を実施する方法については後述する（図８）。
【００６４】
なお、分析者は、入力装置９０を介さずに手動でカラム洗浄又は封入液充填を実施するか、カラム洗浄又は封入液充填を実施しないことも可能である。この場合は、洗浄完了フラグ又は封入完了フラグはＯＦＦのままである。その後、分析者は、カラムオーブン４０からカラムを取り外す（ステップ１１０５）。
【００６５】
＜各装置を制御するためのユーザインターフェース画面＞
クロマトユニットを構成する各装置を制御するための画面について、カラムオーブン４０を例に説明する。図８は、本発明の実施形態に係るカラムオーブンステータス表示画面を示す図である。
【００６６】
ステップ５０４〜５０８で前述したように、分析中、この画面は出力装置８０に表示される。図示のように、カラム温度８００、室温８０１等が表示されるので、分析者はカラムオーブン４０の駆動状態を把握するとともに、ここからカラムオーブン４０を制御することができる。また、カラム情報表示ボタン８２０を押下すると、図３に示すカラムタグ１１０の情報が出力装置８０に表示される。
【００６７】
次に、ステップ１１０３で前述したように、この画面から、入力装置９０を介してカラム洗浄又は封入液充填を実施する方法について説明する。図９は、本発明の実施形態に係るカラム洗浄・封入条件設定画面を示す図である。この画面は、分析者が図８のカラム洗浄ボタン８３０を押下すると、出力装置８０に表示される。図中の、カラム洗浄条件９００、及びカラム封入条件９１０は、カラムタグ１１０に記録されている条件を表示している。
【００６８】
分析者は、カラム洗浄および封入液充填のチェックボックスのうち実施したいものをチェックし、カラム洗浄条件９００及びカラム封入条件９０１を適宜変更し、開始ボタン９２０を押下する。すると、カラム洗浄・封入液充填部１２０３は、これらの条件をクロマトユニットを構成する各装置に送信する。そして、各装置は、カラム洗浄及びカラム封入液の充填処理を実施する。さらに、カラム洗浄・封入液充填部１２０３は、カラムタグ１１０のカラム洗浄、封入条件（Ｎｏ．２４〜３４）を更新し、及び洗浄・封入完了フラグ（Ｎｏ．２９、３５）をＯＮに設定する。
【００６９】
＜まとめ＞
本発明の実施形態によれば、初期設定部１２０１は、分析者により設定されたクロマトユニットに関する情報をカラムタグ１１０から読み出し、クロマトユニットを制御する。また、分析者は、出力装置８０に表示されたクロマトユニットの駆動状態を監視し、クロマトユニットの状態を調整する。この場合、分析処理部１２０２は、クロマトユニットからの情報を受信しながら、分析者により設定された分析条件に従って、クロマトユニットを制御する。このようにすることにより、液体クロマトグラフ分析を自動化できるので、分析者の負担を軽減し、分析時間を減らすことができる。
【００７０】
また、分析処理部１２０２は、カラムタグ１１０から読み出したクロマトユニットの仕様および推奨分析条件と、これらに対応する、分析中に記録されたクロマトユニットの最大値とを比較する。比較の結果、クロマトユニットの仕様および推奨分析条件の範囲外で駆動したクロマトユニットについては、警告部１２０４が、出力装置８０に警告を出力する。こうすることにより、クロマトユニットの性能を適切に維持でき、性能が劣化したものについては忘れることなく迅速に交換できるので、分析時間を減らし、高い分析精度を維持することができる。
【００７１】
また、カラム洗浄・封入液充填部１２０３は、分析後のカラム洗浄又は封入液充填を自動で実施すると、カラムタグ１１０の対応するフラグをＯＮに設定する。そして、分析者がカラムオーブン４０からカラムを取り外す際、カラム洗浄又は封入液充填の少なくとも一方が未実施の場合、警告部１２０４は、出力装置８０に警告を表示する。このようにすることにより、カラムの洗浄・封入液充填処理漏れを防止できるので、カラムの精度を維持し、カラムの寿命を向上させることができる。
【符号の説明】
【００７２】
１０…溶離液（Ａ，Ｂ）
１１…溶離液（洗浄液）
１２…封入液（洗浄液）
２０…ポンプ
３０…オートサンプラ
４０…カラムオーブン
５０…検出器
６０…廃液容器
７０…中央処理装置
８０…出力装置
９０…入力装置
【図１】
2011220789.tif 000003
【図２】
2011220789.tif 000004
【図３】
2011220789.tif 000005
【図４】
2011220789.tif 000006
【図５】
2011220789.tif 000007
【図６】
2011220789.tif 000008
【図７】
2011220789.tif 000009
【図８】
2011220789.tif 000010
【図９】
2011220789.tif 000011
【図１０】
2011220789.tif 000012
【図１１】
2011220789.tif 000013
【図１２】
2011220789.tif 000014